(57)【要約】【課題】破断部を破断した後は蓋体を容器本体から容易に外せる。【解決手段】容器本体１１は、胴部１２と、胴部１２の開口端部に突設されたフランジ部１３と、フランジ部１３に容器軸Ｏ方向に沿う容器本体１１の外側に向けて突設された嵌合筒１４と、を備え、嵌合筒１４内に蓋体２１が嵌合され、かつ嵌合筒１４の内周面に形成された第１係合部１７に、蓋体２１の外周面に形成された第２係合部２３が係合することにより、蓋体２１が容器本体１１に装着され、嵌合筒１４には、嵌合筒１４を周方向に分断するように破断可能に形成された第１破断部１６が形成され、第１破断部１６を破断したときに、嵌合筒１４において第１破断部１６に連なる摘み部１５が蓋体２１の外周面から径方向の外側に離反可能となっている。【選択図】図１
2010241492.tif 000002
【特許請求の範囲】
【請求項１】
内容物が収容される容器本体と、
この容器本体に離脱可能に装着されその内部を密封する有頂筒状の蓋体と、を備える密封容器であって、
前記容器本体は、有底筒状に形成された胴部と、この胴部の開口端部にその径方向の外側に向けて突設されたフランジ部と、このフランジ部に容器軸方向に沿う前記容器本体の外側に向けて突設された嵌合筒と、を備え、
この嵌合筒内に前記蓋体が嵌合され、かつ嵌合筒の内周面に形成された第１係合部に、前記蓋体の外周面に形成された第２係合部が係合することにより、前記蓋体が前記容器本体に装着され、
前記嵌合筒には、該嵌合筒を周方向に分断するように破断可能に形成された第１破断部と、この第１破断部に連なる摘み部と、が形成され、
前記嵌合筒のうち、少なくとも前記摘み部に周方向に沿った前記第１破断部の反対側から連なる部分において、前記第１係合部とフランジ部との間に位置する部分に、破断可能に形成されるとともに周方向に沿って延びる第２破断部が形成され、
前記フランジ部において前記摘み部に連なる部分に、前記蓋体の開口端縁に向けて開口する貫通孔が形成されていることを特徴とする密封容器。
【請求項２】
密封容器内に内容物が密封されてなる包装体であって、
前記密封容器は請求項１記載の密封容器とされるとともに、前記内容物は食品若しくは薬品とされていることを特徴とする包装体。
【請求項３】
請求項２記載の包装体であって、
前記内容物は固形状体であることを特徴とする包装体。
【請求項４】
請求項３記載の包装体であって、
前記内容物は、前記嵌合筒の開口端よりも容器軸方向に沿った容器本体の外側に張り出していることを特徴とする包装体。
【請求項５】
請求項３または４に記載の包装体であって、
前記食品は菓子であることを特徴とする包装体。
【発明の詳細な説明】
【技術分野】
【０００１】
本発明は、密封容器および包装体に関するものである。
【背景技術】
【０００２】
例えば食品や薬品等が収容される密封容器においては、近年、内容物の安全性を確保するために、購入者自身が開封する前に、他人により意図的にあるいは不意に加えられた外力によって開封されてしまうのを防ぐことに対する要望が高まっている。
このような要望に応えるための手段として、例えば下記特許文献１では、環状溝が形成された蓋体と、前記環状溝に開口端縁部が差し込まれた有底筒状の容器本体と、を備え、  前記蓋体は、天板部と、天板部の外周縁に上方に向けて突設された第１周壁と、この第１周壁をその径方向の外側から囲繞する第２周壁と、これらの両周壁を連結する環状の連結壁と、第２周壁の下端にその径方向の外側に向けて突設されたフランジ部と、を備え、前記容器本体の外周面に、蓋体のフランジ部をその径方向の外側から覆う被覆壁が破断可能な弱化部を介して突設された構成が提案されている。なお、前述の環状溝は、前記両周壁と連結壁とにより画成されている。
この密封容器においては、まず、容器本体の弱化部を破断しこの容器本体から被覆壁を除去して蓋体のフランジ部を露出させ、その後このフランジ部を引き上げる等することで蓋体が容器本体から外されて開封される。
【先行技術文献】
【特許文献】
【０００３】
【特許文献１】特許第３１５５６７７号公報
【発明の概要】
【発明が解決しようとする課題】
【０００４】
しかしながら、前記従来の密封容器では、その開封に際し、容器本体の弱化部を破断して被覆壁を除去しても、前記環状溝内への容器本体の開口端縁部の装着状態に変わりがないため、購入者において弱化部を破断した後に蓋体を容器本体から外し難い場合があった。
【０００５】
この発明は、このような事情を考慮してなされたもので、購入者において破断部を破断した後は蓋体を容器本体から容易に外すことができる密封容器、およびこの密封容器に内容物が密封されてなる包装体を提供することを目的とする。
【課題を解決するための手段】
【０００６】
上記課題を解決して、このような目的を達成するために、本発明の密封容器は、内容物が収容される容器本体と、この容器本体に離脱可能に装着されその内部を密封する有頂筒状の蓋体と、を備える密封容器であって、前記容器本体は、有底筒状に形成された胴部と、この胴部の開口端部にその径方向の外側に向けて突設されたフランジ部と、このフランジ部に容器軸方向に沿う前記容器本体の外側に向けて突設された嵌合筒と、を備え、この嵌合筒内に前記蓋体が嵌合され、かつ嵌合筒の内周面に形成された第１係合部に、前記蓋体の外周面に形成された第２係合部が係合することにより、前記蓋体が前記容器本体に装着され、前記嵌合筒には、該嵌合筒を周方向に分断するように破断可能に形成された第１破断部と、この第１破断部に連なる摘み部と、が形成され、前記嵌合筒のうち、少なくとも前記摘み部に周方向に沿った前記第１破断部の反対側から連なる部分において、前記第１係合部とフランジ部との間に位置する部分に、破断可能に形成されるとともに周方向に沿って延びる第２破断部が形成され、前記フランジ部において前記摘み部に連なる部分に、前記蓋体の開口端縁に向けて開口する貫通孔が形成されていることを特徴とする。
【０００７】
この発明によれば、フランジ部において摘み部に連なる部分に貫通孔が形成されているので、第１破断部を破断したときに、摘み部を蓋体の外周面から径方向の外側に離反させることが可能になり、第１破断部を破断することにより、嵌合筒の内周面のうち摘み部に位置する部分と、蓋体の外周面と、の嵌合、並びに第１係合部のうち摘み部に形成された部分と、第２係合部と、の係合の双方を同時に解除することができる。
したがって、第１破断部を破断することで、蓋体の容器本体への装着状態を確実に緩めることが可能になり、購入者において第１破断部を破断した後に蓋体を容器本体から容易に外すことができる。
また、第１破断部が破断されて嵌合筒が周方向で分断されていると、この密封容器が開封済みであることを購入者に容易かつ確実に認識させることができる。
【０００８】
また、嵌合筒に第２破断部が形成されているので、第１破断部を破断した後に、摘み部を蓋体に対して周方向に沿った第１破断部の反対側に向けて移動させ該嵌合筒を第２破断部に沿って破断するのに伴い、嵌合筒と蓋体との嵌合の解除、並びに第１係合部と第２係合部との係合の解除の双方を同時に進行させることが可能になる。
したがって、第２破断部に沿った嵌合筒の破断に伴い、蓋体の容器本体への装着状態が漸次緩められることとなり、購入者において第１破断部および第２破断部を破断することで蓋体を容器本体からより一層容易に外すことができる。
【０００９】
また、第２破断部が、嵌合筒において第１係合部とフランジ部との間に位置する部分に形成されているので、第２破断部を破断した後も、嵌合筒において第２破断部よりもフランジ部側に位置する下側部分は、フランジ部に引き続き連結されたままとなる。したがって、第１破断部および第２破断部を破断して蓋体を容器本体から外し開封した後であっても、蓋体を嵌合筒の前記下側部分の内側に嵌合することが可能になり、蓋体により容器本体の内部を再度閉塞することができる。
ところで、第２破断部の破断後に、前述のように蓋体が嵌合筒の前記下側部分の内側に嵌合されていると、蓋体を容器本体から外す際に、単に蓋体を把持して容器本体から引き離そうとするだけでは、手が滑るなどして蓋体を容器本体から外し難くなるおそれがある。
しかしながら、フランジ部に、蓋体の開口端縁に向けて開口する貫通孔が形成されているので、第１破断部および第２破断部を破断して前述の装着状態を緩めた後に、前記貫通孔から指等を差し込んで蓋体の開口端縁を突き上げることにより、蓋体を容器本体から容易に外すことができる。
【００１０】
さらに、貫通孔がフランジ部において摘み部に連なる部分に形成されているので、第１破断部を破断したときに、摘み部を蓋体からその径方向の外側に容易に遠く離反させることが可能になる。したがって、第１破断部を破断した後は、蓋体の容器本体への装着状態を確実に緩めることが可能になるとともに、第２破断部を容易に破断することもできる。
【００１１】
また、本発明の包装体は、密封容器内に内容物が密封されてなる包装体であって、前記密封容器は本発明の密封容器とされるとともに、前記内容物は食品若しくは薬品とされていることを特徴とする。
この場合、内容物が食品若しくは薬品となっているので、密封容器が開封済みであることを購入者に容易かつ確実に認識させることができるといった前述の作用効果が、顕著に奏功されることとなる。
【００１２】
ここで、前記内容物は固形状体であってもよい。
この場合、前記内容物が固形状体となっているので、密封容器内の内容物を容易に造形することが可能になるとともに、その形状を保持し易くすることができ、例えば購入者を視覚で楽しませたりすること等が可能になる。
【００１３】
この構成において、前記内容物は、前記嵌合筒の開口端よりも容器軸方向に沿った容器本体の外側に張り出してもよい。
この場合、密封容器内の内容物を広い範囲にわたって造形することが可能になるとともに、購入者を視覚で楽しませるといった前述の効果をより強く発揮させることができる。
なお、前記食品は菓子であってもよい。
【発明の効果】
【００１４】
この発明によれば、購入者において破断部を破断した後は蓋体を容器本体から容易に外すことができる。
【図面の簡単な説明】
【００１５】
【図１】本発明に係る一実施形態として示した密封容器の半縦断面図である。
【図２】図１に示す密封容器のＡ−Ａ線矢視断面図である。
【図３】図１および図２に示す密封容器を開封している途中の状態を示す斜視図である。
【発明を実施するための形態】
【００１６】
以下、図面を参照し、この発明の実施の形態について説明する。
本実施形態に係る密封容器１は、図１から図３に示されるように、内容物が収容される容器本体１１と、この容器本体１１に離脱可能に装着されその内部を密封する蓋体２１と、を備えている。
図示の例では、蓋体２１は有頂筒状に形成されており、その中心軸と容器本体１１の中心軸とは共通軸上に位置している。以下、この共通軸を容器軸Ｏといい、容器軸Ｏ方向に沿って蓋体２１の天壁部２２側を上側、容器本体１１の底部１１ａ側を下側といい、また容器軸Ｏに直交する方向を径方向といい、さらに容器軸Ｏを中心に周回する方向を周方向という。
【００１７】
容器本体１１は、有底筒状に形成された胴部１２と、この胴部１２の開口端部にその径方向の外側に向けて突設されたフランジ部１３と、このフランジ部１３の外周縁部に上方に向けて突設された嵌合筒１４と、を備えている。
ここで、嵌合筒１４の内周面には、図２に示されるように第１係合部１７が形成されており、この第１係合部１７に、蓋体２１の外周面に形成された第２係合部２３が係合している。なお図示の例では、第１係合部１７は凹部とされ、第２係合部２３は凸部とされている。
【００１８】
嵌合筒１４には、該嵌合筒１４を周方向に分断するように破断可能に形成された第１破断部１６が形成されている。
図示の例では、嵌合筒１４に、容器軸Ｏ方向に沿って延びる貫通溝１４ａが形成されており、この貫通溝１４ａの上端は、嵌合筒１４の上端縁よりも下方かつ第１係合部１７よりも上方に位置している。そして、嵌合筒１４において、その上端縁と貫通溝１４ａの上端との間に位置する部分が前記第１破断部１６となっている。貫通溝１４ａの下端は、嵌合筒１４の下端縁に到達し下方に向けて開口している。貫通溝１４ａの平面視形状は、矩形状となっている。
【００１９】
また本実施形態では、嵌合筒１４に、この嵌合筒１４の中で最も容器軸Ｏ方向の大きさが大きい摘み部１５が備えられている。
摘み部１５は、貫通溝１４ａおよび第１破断部１６に周方向の一方側Ｘから連なっている。また図示の例では、摘み部１５の上端縁が、嵌合筒１４のうち摘み部１５を除く他の部分の上端縁よりも上方に突出している。
さらに本実施形態では、嵌合筒１４において貫通溝１４ａより周方向の一方側Ｘに位置する部分に第１貫通孔１４ｂが形成されている。第１貫通孔１４ｂは、摘み部１５に周方向の一方側Ｘから連なっている。第１貫通孔１４ｂの下端は、嵌合筒１４の下端縁に到達し下方に向けて開口している。第１貫通孔１４ｂの上端は、第１係合部１７よりも下方に位置している。第１貫通孔１４ｂの平面視形状は、矩形状となっている。
【００２０】
さらに本実施形態では、嵌合筒１４のうち、少なくとも摘み部１５に周方向の一方側Ｘから連なる部分において、第１係合部１７よりも下側に位置する部分には、破断可能に形成されるとともに周方向に沿って延びる第２破断部１８が形成されている。
図示の例では、第２破断部１８は、嵌合筒１４において、摘み部１５、貫通溝１４ａおよび第１貫通孔１４ｂが形成された部分を除く全域にわたって延在している。また第２破断部１８は、嵌合筒１４の内周面に形成された周溝となっている。さらに、第２破断部１８の一方の周端１８ａは、第１貫通孔１４ｂの上端に周方向の一方側Ｘから連なっている。また、第２破断部１８の他方の周端１８ｂは、貫通溝１４ａに周方向の他方側Ｙから連なっている。第２破断部１８は、嵌合筒１４の下端縁よりも上方に位置している。
【００２１】
また本実施形態では、図２および図３に示されるように、フランジ部１３に、蓋体２１の開口端縁２１ａに向けて開口する第２貫通孔（貫通孔）１９が形成されている。
図示の例では、第２貫通孔１９は、フランジ部１３において摘み部１５に連なる部分に形成されている。また第２貫通孔１９は、周方向に沿って延在しており、その両周端部はそれぞれ、貫通溝１４ａおよび第１貫通孔１４ｂに各別に連通している。この第２貫通孔１９における径方向の内方端縁１９ａは、図２に示されるように、蓋体２１の開口端縁２１ａ上に位置している。すなわち、蓋体２１の開口端縁２１ａが、第２貫通孔１９の前記内方端縁１９ａを径方向に跨ぐことにより、第２貫通孔１９を通した外部と容器本体１１の内部との連通が遮断され、この容器本体１１内の閉塞状態が保たれている。また、蓋体２１の開口端縁２１ａにおける外周縁は、第２貫通孔１９の前記内方端縁１９ａよりも径方向の外側に位置している。
【００２２】
蓋体２１は、径方向に沿って延びる天壁部２２と、天壁部２２の外周縁に下方に向かうに従い漸次径方向の外側に向けて延びる傾斜周壁部２４と、傾斜周壁部２４の下端から下方に向けて延設され容器本体１１の嵌合筒１４内に嵌合される被嵌合筒２５と、を備え、被嵌合筒２５の外周面に前記第２係合部２３が径方向の外側に向けて突設されている。
そして、蓋体２１の被嵌合筒２５が容器本体１１の嵌合筒１４内に嵌合され、かつ被嵌合筒２５の第２係合部２３が嵌合筒１４の第１係合部１７に係合することにより、蓋体２１が容器本体１１に装着されている。さらにこのように、蓋体２１が容器本体１１に装着された状態で、蓋体２１の天壁部２２が嵌合筒１４の開口端よりも上側に位置している。
【００２３】
なお、前記内容物は食品若しくは薬品となっている。
このうち食品としては、例えば、乳飲料、果汁飲料、コーヒー飲料、清涼飲料、ドリンクヨーグルト、ソフトヨーグルト、練乳若しくは水飴等の液状体または流動状体、あるいは果肉入り飲料、果肉入りドリンクヨーグルト、果肉入りソフトヨーグルト若しくはゼリー入り飲料等の固液混合体、あるいはプリン、ゼリー、冷凍菓子、ホイップクリーム若しくはハードヨーグルト等の固形状体、あるいはスキムミルク、インスタントコーヒー若しくはＩＣＰ等の粉末体等が挙げられる。これらの食品のうち菓子としては、例えば前述の固形状体等が挙げられる。
薬品としては、例えば、粉薬、シロップ薬、錠剤、水飴状薬、ハードカプセル若しくはソフトカプセル等が挙げられる。
【００２４】
次に、以上のように構成された密封容器１内に内容物を密封して包装体とする方法について説明する。
まず、容器本体１１内に内容物を収容し、その後、蓋体２１の被嵌合筒２５を容器本体１１の嵌合筒１４内に嵌合し、かつ被嵌合筒２５の第２係合部２３を嵌合筒１４の第１係合部１７に係合する。これにより、密封容器１内に内容物が密封されてなる包装体が得られる。
【００２５】
次に、以上のように構成された密封容器１を開封する方法について説明する。
【００２６】
まず、摘み部１５の上端部を摘んで径方向の外側に向けて引っ張ると、第１破断部１６が破断されて嵌合筒１４が周方向に分断される。
ここで本実施形態では、フランジ部１３において摘み部１５に連なる部分に第２貫通孔１９が形成されているので、第１破断部１６を破断することで、摘み部１５が蓋体２１の被嵌合筒２５の外周面から径方向の外側に離反可能となる。
【００２７】
その後、摘み部１５を蓋体２１に対して周方向の一方側Ｘに向けて移動させ嵌合筒１４を第２破断部１８に沿って破断させることで、嵌合筒１４のうち、第２破断部１８よりも上側に位置する上側部分１４ｃが摘み部１５とともに除去される。
この際、嵌合筒１４のうち、第２破断部１８よりも下側に位置する残りの下側部分１４ｄは、フランジ部１３と連結されたままとなっており、この部分１４ｄの径方向の内側に蓋体２１の被嵌合筒２５における下側部分が着脱自在に嵌合されている。
【００２８】
次に、蓋体２１の被嵌合筒２５の下端開口縁、つまり蓋体２１の前記開口端縁２１ａのうち、フランジ部１３に形成された第２貫通孔１９上に位置する部分を突き上げ、蓋体２１の被嵌合筒２５の前記下側部分を、嵌合筒１４の前記下側部分１４ｄから外す。これにより、蓋体２１が容器本体１１から外されて開封される。
その後、状況に応じて、蓋体２１の被嵌合筒２５の前記下側部分を、嵌合筒１４の前記下側部分１４ｄ内に嵌合することで、蓋体２１により容器本体１１の内部が再度閉塞される。
【００２９】
以上説明したように、本実施形態による密封容器１によれば、フランジ部１３において摘み部１５に連なる部分に第２貫通孔１９が形成されているので、第１破断部１６を破断したときに、摘み部１５を被嵌合筒２５の外周面から径方向の外側に離反させることが可能になり、第１破断部１６を破断することにより、嵌合筒１４の内周面のうち摘み部１５に位置する部分と、蓋体２１の被嵌合筒２５の外周面と、の嵌合、並びに嵌合筒１４に形成された第１係合部１７のうち摘み部１５に形成された部分と、蓋体２１の第２係合部２３と、の係合の双方を同時に解除することができる。
したがって、第１破断部１６を破断することで、蓋体２１の容器本体１１への装着状態を確実に緩めることが可能になり、購入者において第１破断部１６を破断した後に蓋体２１を容器本体１１から容易に外すことができる。
さらに、第１破断部１６が破断されて嵌合筒１４が周方向で分断されていると、この密封容器１が開封済みであることを購入者に容易かつ確実に認識させることができる。
【００３０】
また、本実施形態では、嵌合筒１４に第２破断部１８が形成されているので、第１破断部１６を破断した後に、嵌合筒１４を第２破断部１８に沿って破断させるのに伴い、嵌合筒１４と蓋体２１との嵌合の解除、並びに第１係合部１７と第２係合部２３との係合の解除の双方を同時に進行させることが可能になる。したがって、嵌合筒１４の破断に伴い、蓋体２１の容器本体１１への装着状態が漸次緩められることとなり、購入者において第１破断部１６および第２破断部１８を破断した後は、蓋体２１を容器本体１１からより一層容易に外すことができる。
【００３１】
さらに、本実施形態では、第２破断部１８が、嵌合筒１４においてその下端縁から上方に離れた部分に形成されていて、第２破断部１８を破断した後も、嵌合筒１４の下側部分１４ｄ内に蓋体２１の被嵌合筒２５を嵌合することで、蓋体２１により容器本体１１の内部を再度閉塞することが可能になっているので、この容器１の取り扱い性を向上させることができるとともに、収容可能な内容物の種類を広げることもできる。
【００３２】
ここで、本実施形態のように、第２破断部１８の破断後に、蓋体２１が嵌合筒１４の下側部分１４ｄの内側に嵌合されていると、蓋体２１を容器本体１１から外す際に、単に蓋体２１を把持して容器本体１１から引き離そうとするだけでは、手が滑るなどして蓋体２１を容器本体１１から外し難くなるおそれがある。
しかしながら、本実施形態では、フランジ部１３に、蓋体２１の開口端縁２１ａに向けて開口する第２貫通孔１９が形成されているので、第１破断部１６および第２破断部１８を破断して前述の装着状態を緩めた後に、第２貫通孔１９から指等を差し込んで蓋体２１の開口端縁２１ａを突き上げることにより、蓋体２１を容器本体１１から容易に外すことができる。
【００３３】
また、本実施形態では、第２貫通孔１９がフランジ部１３において摘み部１５に連なる部分に形成されているので、第１破断部１６を破断したときに、摘み部１５を蓋体２１からその径方向の外側に容易に遠く離反させることが可能になる。したがって、第１破断部１６を破断した後は、蓋体２１の容器本体１１への装着状態を確実に緩めることが可能になるとともに、第２破断部１８を容易に破断することもできる。
さらに、本実施形態では、第２破断部１８の一方の周端１８ａが、第１貫通孔１４ｂの上端に周方向の一方側Ｘから連なっているので、第１破断部１６を破断した後に、摘み部１５を周方向の一方側Ｘに移動させたときに、第２破断部１８の一方の周端１８ａに力を集中させ易くすることが可能になり、良好な開封操作性を具備させることができる。
【００３４】
また、本実施形態による包装体によれば、内容物が食品若しくは薬品となっているので、密封容器１が開封済みであることを購入者に容易かつ確実に認識させることができるといった前述の作用効果が、顕著に奏功されることとなる。
さらに、内容物が固形状体の場合には、密封容器１内の内容物を容易に造形することが可能になるとともに、その形状を保持し易くすることができ、例えば購入者を視覚で楽しませたりすること等が可能になる。
また、内容物が固形状体で、かつ密封容器１の内部のうち嵌合筒１４の開口端よりも上側に位置する上端部分２１ｂに張り出している場合には、密封容器１内の内容物を広い範囲にわたって造形することが可能になるとともに、購入者を視覚で楽しませるといった前述の効果をより強く発揮させることができる。このような内容物として、例えばソフトクリーム等の冷凍菓子、またはプリン若しくはゼリー等のデザート上に載置されたホイップクリーム等が挙げられる。
【００３５】
なお、内容物が密封容器１の内部の前記上端部分２１ｂに張り出していると、容器本体１１の開口端部に中蓋やインナーシールを設けることが困難になるが、本実施形態では、容器本体１１の嵌合筒１４を周方向に分断して密封容器１を開封するものであるから、前述の中蓋やインナーシールを設けなくても、密封容器１が開封済みであることを購入者に容易かつ確実に認識させることができる。
また、容器本体１１の第１破断部１６を破断して密封容器１を開封するので、人手により容易に第１破断部１６を破断することが可能となるような比較的柔らかい材質で容器本体１１を形成するのが好ましい。さらにこのような材質で容器本体１１を形成すると、容器本体１１に耐衝撃性を具備させることも可能になり、内容物が例えば冷凍する必要があるもの等のように、密封容器１が低温下に置かれる場合に特に好適となる。
【００３６】
さらに、容器本体１１と蓋体２１とが互いに別部材となっているので、両者１１、２１を形成する材質若しくは色彩等を互いに異ならせることで密封容器１の形態のバリエーションを容易に増大させることが可能になるとともに、蓋体２１の構造を極力単純にすることも可能になる。また、このように容器本体１１と蓋体２１とが互いに別部材となっていることから、例えば蓋体２１を、容器本体１１を形成する材質よりも高強度の材質で形成したり、あるいは密封容器１のうち蓋体２１のみを光が透過する材質で形成したりすることができる。また、内容物が、前述のように造形されかつ密封容器１の内部の前記上端部分２１ｂに張り出している場合において、蓋体２１を光が透過する材質で形成すると、購入者に密封容器１の外側から内容物を視認させることが可能になり、購買意欲を喚起させることもできる。
【００３７】
なお、本発明の技術的範囲は前記実施の形態に限定されるものではなく、本発明の趣旨を逸脱しない範囲において種々の変更を加えることが可能である。
【００３８】
例えば、前記実施形態では、嵌合筒１４に第１貫通孔１４ｂを形成したが、第１貫通孔１４ｂを形成せず、第２破断部１８の一方の周端１８ａを周方向の他方側Ｙに延ばして貫通溝１４ａに周方向の一方側Ｘから到達させてもよい。
また、第２破断部１８は、前記実施形態に限らず例えば、前記他方の周端１８ｂを貫通溝１４ａから周方向の他方側Ｙに離して位置させたりするなど適宜変更してもよい。
さらに、第１破断部１６は、前記実施形態に限らず例えば、貫通溝１４ａを形成せず、容器軸Ｏ方向に沿って嵌合筒１４のほぼ全長にわたって延びる薄肉部等の破断可能な弱化部とするなど適宜変更してもよい。
【００３９】
また、蓋体２１は前記実施形態に限らず適宜変更してもよく、例えば傾斜周壁部２４を有しない構成を採用してもよい。
さらに、前記実施形態に代えて、例えば第１係合部１７を凸部とし、第２係合部２３を凹部としてもよいし、あるいは両係合部１７、１８を双方ともに凸部とし、第２係合部２３が第１係合部１７を下側に乗り越えることで、第１係合部１７に第２係合部２３を係合させてもよい。
【００４０】
また前記実施形態に代えて、摘み部１５を、貫通溝１４ａおよび第１破断部１６に周方向の他方側Ｙから連ならせ、かつ第１貫通孔１４ｂに周方向の一方側Ｘから連ならせてもよい。
この場合、第１破断部１６を破断して嵌合筒１４を周方向に分断した後に、摘み部１５を蓋体２１に対して周方向の他方側Ｙに向けて移動させることで、嵌合筒１４が第２破断部１８に沿って破断され、嵌合筒１４のうち、第２破断部１８よりも上側に位置する上側部分１４ｃが摘み部１５とともに除去されることとなる。
【００４１】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００４２】
購入者において破断部を破断した後は蓋体を容器本体から容易に外すことができる。
【符号の説明】
【００４３】
１  密封容器
１１  容器本体
１２  胴部
１３  フランジ部
１４  嵌合筒
１５  摘み部
１６  第１破断部
１７  第１係合部
１８  第２破断部
１９  第２貫通孔（貫通孔）
２１  蓋体
２１ａ  蓋体の開口端縁
２３  第２係合部
Ｏ  容器軸
【図１】
2010241492.tif 000003
【図２】
2010241492.tif 000004
【図３】
2010241492.tif 000005